(57)【要約】【課題】音調パネル５の配置の自由度を奪うことなく、複数の音調パネル５を床面に対して立てることを可能とする蝶番と、この蝶番を用いた音調パネル群７を提供する。【解決手段】蝶番１は、ゴム板材２と、このゴム板材２の一方の面上で、所定間隔開けて配置した一対のネジ止用板材３とを備えている。この蝶番１を用いれば、隣接する音調パネル５がズレた状態で接続されても、緩衝部４がこのズレを吸収する。そのため、この蝶番１を用いて複数の音調パネル５を連結し、屏風状（Ｖ字状又はＷ字状など）に配置した場合、各音調パネル５は傾くことなく床面上に立つ。また、この蝶番１は、上述のズレを吸収するので、厳密な精度が求められない。そのため、この蝶番１を用いて音調パネル５を接続する作業は使用者にとって重い負担とならず、不便と感じることがない。【選択図】  図１
2015083748.tif 000002
【特許請求の範囲】
【請求項１】
板状のゴムと、
該ゴムの一方の面上で、所定間隔開けて配置した一対のネジ止用板材と、
を備えることを特徴とする蝶番。
【請求項２】
複数の音調パネルを請求項１に記載の蝶番によって折り畳み可能に接続したことを特徴とする音調パネル群。
【発明の詳細な説明】
【技術分野】
【０００１】
本発明は、蝶番及び音調パネル群に関する
【背景技術】
【０００２】
室内で楽器を演奏するとき、楽器から発せられる音の聞こえ具合を調整するため、ピアノ等の周囲に複数の音調パネルを立て、その設置角度を様々に調整して、音を様々な方向に反射させる工夫がなされている。
【０００３】
この場合、音調パネルには脚が付けられ、音調パネルは、この脚によって床面上に立てられる。
【発明の概要】
【発明が解決しようとする課題】
【０００４】
ところで、音調パネルは単独で用いられることは少なく、複数の音調パネルを連ねて用いられることが多い。しかも、これらの音調パネルは、例えば、屏風状（Ｖ字状又はＷ字状など）に配置されるなど、隣接する音調パネルとは異なる方向を向けて配置されることが多かった。
【０００５】
しかし、各音調パネルには脚が取り付けられているので、複数の音調パネルを屏風状に配置すると、隣接する音調パネルに取り付けられた脚同士がぶつかって、音調パネルの配置の自由度を奪うという問題があった。
本発明は、配置の自由度を奪うことなく、複数の音調パネルを様々な方向に向けて連ねて配置させることが可能な蝶番と、この蝶番を用いて組み立てられた音調パネル群を提供することを目的とする。
【課題を解決するための手段】
【０００６】
請求項１に記載の発明である蝶番は、
板状のゴムと、
該ゴムの一方の面上で、所定間隔開けて配置した一対のネジ止用板材と、
を備えることを特徴とする。
【０００７】
ところで、一般に用いられている蝶番を用いて複数の音調パネルを連結し、これらの音調パネルを屏風状（Ｖ字状又はＷ字状など）に配置した場合、これら複数の音調パネルからなる音調パネル群は各音調パネルに脚を付けなくても床面上に立つが、その取付精度が問題となる。すなわち、取り付け位置がずれてしまうと、床面上に立てた音調パネルが傾いてしまう可能性があった（下辺の端が床から浮いてしまうなど）。
【０００８】
このように音調パネルが傾いてしまうと、見栄えがよくないことはもちろん、床面上に立てても安定せず、場合によっては演奏中に倒れてしまうことがある。
一方、蝶番を正確に取り付けるよう使用者に求めると、使用者にとっては重い負担となり、使用者は不便と感じてしまう。
【０００９】
そこで、本発明の蝶番は、ベースとなる部材として板状のゴムを用い、このゴムの一方の面上に、緩衝部として所定間隔を開けて一対のネジ止用板材を配置した構成とした。
この蝶番を用いれば、隣接する音調パネル同士をズレた状態で接続しても、緩衝部がこのズレを吸収する。そのため、この蝶番を用いて複数の音調パネルを連結し、屏風状（Ｖ字状又はＷ字状など）に配置した場合、各音調パネルは傾くことなく床面上に立つ。
【００１０】
また、本発明の蝶番は、上述のズレを吸収するので、隣接する音調パネルを接続する際、従来の蝶番を用いて隣接する音調パネルを接続する場合に比べ、厳密な精度が求められない。そのため、この蝶番を用いて隣接する音調パネルを接続する作業は使用者にとって重い負担とならず、不便と感じることがない。
【００１１】
次に、請求項２に記載の音調パネル群は、複数の音調パネルを請求項１に記載の蝶番によって折り畳み可能に接続したものである。
この音調パネル群は、各音調パネルが上述した蝶番で接続されているので、屏風状（Ｖ字状又はＷ字状など）に配置して床面上に立てたとき、各音調パネルを傾かせることなく床面上に立てることができる。
【図面の簡単な説明】
【００１２】
【図１】本実施形態の蝶番の（ａ）分解斜視図、（ｂ）斜視図、（ｃ）平面図（（ｂ）Ａ方向から見た図）、（ｄ）側面図（（ｃ）Ｂ方向から見た図）である。
【図２】本実施形態の蝶番で複数の音調パネルを接続した音調パネル群の（ａ）斜視図、（ｂ）正面図（（ａ）Ｄ方向から見た図）、（ｃ）側面図（（ａ）Ｂ方向から見た図）、（ｄ）背面図（（ａ）Ａ方向から見た図）、（ｅ）平面図（（ａ）Ｃ方向から見た図）である。
【図３】本実施形態の蝶番で複数の音調パネルを接続した音調パネル群を使用するときの使用図であり、（ａ）斜視図、（ｂ）正面図（（ａ）Ｄ方向から見た図）、（ｃ）側面図（（ａ）Ｂ方向から見た図）、（ｄ）背面図（（ａ）Ａ方向から見た図）、（ｅ）平面図（（ａ）Ｃ方向から見た図）である。
【図４】本実施形態の蝶番で複数の音調パネルを接続した音調パネル群を折り畳んだときの使用図であり、（ａ）斜視図、（ｂ）側面図（（ａ）Ｂ方向から見た図）、（ｃ）正面図（（ａ）Ａ方向から見た図）、（ｄ）平面図（（ａ）Ｃ方向から見た図）である。
【発明を実施するための形態】
【００１３】
以下に本発明の実施形態を図面と共に説明する。
本実施形態の蝶番１は、図１（ａ）に示すように、小判形状に形成されたゴム板材２と、四角形の一辺を半円状にした形状の一対のネジ止用板材３とからなる。
【００１４】
一対のネジ止用板材３は、図１（ｂ）に示すように、ゴム板材２の一方の面上で所定間隔離して配置され、ゴム板材２に接着される。このとき、ゴム板材２の長手方向の両端に形成された半円状の円弧と、各ネジ止用板材３に形成された半円状の円弧とは半径が同じ長さであり、各円弧が揃うようにネジ止用板材３はゴム板材２に接着される。また、ゴム板材２もネジ止用板材３も同じ幅に形成されており、ネジ止用板材３は幅方向の両端の辺部が揃うようにゴム板材２に接着される。尚、以下、ゴム板材２上のネジ止用板材３が配置されていない空間を緩衝部４と呼ぶ。
【００１５】
また、ゴム板材２とネジ止用板材３には、それぞれ複数のネジ穴が形成されており、これらは、ゴム板材２とネジ止用板材３とを接着したときに連通するように位置合わせされている。これらネジ孔３０のうち、内側に位置するネジ孔３０ａは、ネジ止用板材３の部分にネジの頭部がはまり、他の部分にはネジの軸部が挿入されることを想定しているので、ネジの外形を模した形状となっている。
【００１６】
本実施形態の音調パネル５は、図２に示すように、長方形状に形成されており、長い２辺をそれぞれ左辺、右辺、短い２辺をそれぞれ上辺、下辺とよぶ。
この音調パネル５は、表面側の左右２辺が面取りされている。
【００１７】
このように形成された２枚の音調パネル５を蝶番１で接続する場合、まず、一方の音調パネル５の左辺と他方の音調パネル５の右辺とを付き合わせるようにして並べる。
そして、蝶番１のゴム板材２が音調パネル５に当接し、かつ、緩衝部４が、音調パネル５を付き合わせた部分上に位置するように、並べた音調パネル５に宛がい、蝶番１のネジ孔３０にネジを差し込みドライバでネジを音調パネル５に螺入させる。
【００１８】
すると、２枚の音調パネル５を組み合わせた音調パネル群７は、音調パネル５を付き合わせた部分で自在に曲がり、２枚の音調パネル５を床面上に立てたいときは、図３に示すように、これら音調パネル５をＶの字に折れるようにして立てる。
【００１９】
このとき本実施形態では、従来のように足を使って音調パネル５を立てるのではなく、屏風を立てるようにして立てているので、Ｖの字の角度を自在に調整して立てることができる。
【００２０】
また、本実施形態では、蝶番１が、緩衝部４が出来るように構成されているので（図１参照）、金属製の蝶番を取り付ける場合のように精密に取り付ける必要がない。音調パネル５が多少ずれて配置されても、緩衝部４がそのズレを吸収するからである。
【００２１】
そのため、本実施形態の音調パネル群７は、組立作業に慣れていない者でも手軽に組み立てて使用することができる。
また、本実施形態の音調パネル群７は、図４に示すように、各音調パネル５の裏面側を付き合わせるようにして折りたたむことができる。
【００２２】
以上説明したように、本実施形態の蝶番１を用いれば、隣接する音調パネル５がズレた状態で接続されても、緩衝部４がこのズレを吸収する。そのため、この蝶番１を用いて複数の音調パネル５を連結し、屏風状（Ｖ字状又はＷ字状など）に配置した場合、各音調パネル５は傾くことなく床面上に立つ。
【００２３】
また、本実施形態の蝶番１は、上述のズレを吸収するので、厳密な精度が求められない。そのため、この蝶番１を用いて音調パネル５を接続する作業は使用者にとって重い負担とならず、不便と感じることもない。
［他の実施形態］
以上、実施形態について説明したが、特許請求の範囲に記載された発明は、上記実施形態に限定されることなく、種々の形態を採り得ることは言うまでもない。
【００２４】
（１）上記実施形態で説明した蝶番１及び音調パネル群７はあくまでも一例であり、これに限定されるものではない。
（２）上記実施形態では、音調パネル群７として２枚の音調パネル５を蝶番１で組み合わせたものを例示したが、これに限定されるものではなく、例えば３枚又は４枚以上の音調パネル５を蝶番１で組み合わせてもよい。
【符号の説明】
【００２５】
１… 蝶番  ２… ゴム板材  ３… ネジ止用板材  ４… 緩衝部  ５… 音調パネル
７… 音調パネル群  ３０… ネジ孔
【図１】
2015083748.tif 000003
【図２】
2015083748.tif 000004
【図３】
2015083748.tif 000005
【図４】
2015083748.tif 000006